(57)【要約】広帯域符号分割多重接続（ＷＣＤＭＡ）システムの向上した上りリンク専用チャンネルにおいてハイブリッド自動再送要求（ＨＡＲＱ）を再整列するための方法は、ソフトコンビネーションバッファをＮｏｄｅ Ｂに配置させ、再整列バッファをサービング無線網制御器に配置させるステップと、ハイブリッド自動再送要求エンティティをＮｏｄｅ Ｂに配置させるステップと、再整列キュー分散エンティティ、再整列エンティティ、及び分解エンティティをサービング無線網制御器に配置させるステップとを含む。本発明は、ソフトコンビネーションバッファと再整列バッファとを分離させる技術を採用し、その分離モデルは、ダイバーシティ利得を保証するだけではなく、受信遅延を減少させてバッファ空間を節減させる。再整列バッファのブロッキングを防止してブロッキングを最小のレベルに下げ、受信効率を改善し、システムの性能を改善する３種類のメカニズム（タイマーメカニズム、ウィンドーメカニズム、及びＳＢＩメカニズム）を提案する。また、本発明は、ＳＢＩメカニズムを目標にして、Ｉｕｂインタフェース及びＩｕｒインタフェースでの新たなＤＣＨデータフレームの構造を提案する。
2006514514.tif 000002
【特許請求の範囲】
【請求項１】
広帯域符号分割多重接続システムの向上した上りリンク専用チャンネルにおいてハイブリッド自動再送要求（ＨＡＲＱ）を再整列するための方法であって、
ソフトコンビネーションバッファをＮｏｄｅ Ｂに配置させ、再整列バッファをサービング無線網制御器に配置させるステップと、
ハイブリッド自動再送要求エンティティをＮｏｄｅ Ｂに配置させるステップと、
再整列キュー分散エンティティ、再整列エンティティ、及び分解エンティティをサービング無線網制御器に配置させるステップと
を含むことを特徴とするハイブリッド自動再送要求再整列方法。
【請求項２】
使用者端末機に送信タイマーを設定して再送信時間を制御し、サービング無線網制御器に解除タイマーを設定して、待機時間を制御することを特徴とする請求項1記載のハイブリッド自動再送要求再整列方法。
【請求項３】
使用者端末機に送信ウィンドーを設定して、受信器での送信シーケンス番号の混同を防止し、サービング無線網制御器に受信ウィンドーを設定して、受信ウィンドーのスライディングを制御することを特徴とする請求項1記載のハイブリッド自動再送要求再整列方法。
【請求項４】
送信ウィンドーの最大値を送信シーケンス長さの範囲の半分とすることを特徴とする請求項３記載のハイブリッド自動再送要求再整列方法。
【請求項５】
受信ウィンドーの最大値を送信シーケンス長さの範囲の半分とすることを特徴とする請求項３記載のハイブリッド自動再送要求再整列方法。
【請求項６】
媒体アクセス制御−向上した上りリンクプロトコルデータユニットを送信すると同時に、添付されたバッファ状態指示ビットをＮｏｄｅ Ｂにより送信し、
媒体アクセス制御−向上した上りリンクプロトコルデータユニットを受信すると同時に、サービング無線網制御器によりバッファ状態指示ビットを感知して、ソフトコンビネーションバッファ状態指示に従って、バッファを消去するか否かを決定することを特徴とする請求項1記載のハイブリッド自動再送要求再整列方法。
【請求項７】
ソフトコンビネーションバッファ状態指示は、２つの状態を有し、状態１は、ソフトコンビネーションバッファ内のすべてのプロセスが空いている、すなわち、データを再送信する必要がないことを指示し、それ以外の場合は、状態２に属していることを特徴とする請求項６記載のハイブリッド自動再送要求再整列方法。
【請求項８】
それぞれの送信ブロックに対して、ソフトコンビネーションバッファ状態指示ビットを付加し、Ｉｕｂインタフェースでのデータフレームの構造をＩｕｒインタフェースでのそれと同一にすることを特徴とする請求項６記載のハイブリッド自動再送要求再整列方法。
【請求項９】
ソフトコンビネーションバッファをそれぞれ有する複数のＮｏｄｅ Ｂと、再整列バッファを備え、それぞれのＮｏｄｅ Ｂを制御する無線網制御器（ＲＮＣ）とを含む移動通信システムの上りリンクチャンネルにおいて、ハイブリッド自動再送要求（ＨＡＲＱ）を再整列するための方法であって、
Ｎｏｄｅ Ｂでそれぞれの移動端末機からパケットデータを受信し、前記受信されたデータをソフトコンビネーションバッファに貯蔵するステップと、
それぞれのＮｏｄｅ Ｂから受信されたデータをチャンネルデコーダによりデコーディングするステップと、
移動端末機へ受信応答（ＡＣＫ）又は未受信応答（ＮＡＣＫ）情報を送信するステップと、
Ｎｏｄｅ ＢでデコーディングされたデータをＲＮＣへ送信するステップと、
それぞれのデコーディングされたデータを再整列バッファにバッファリングするステップと、
ＲＮＣでデコーディングされたデータを再整列するステップと
を含むことを特徴とするハイブリッド自動再送要求再整列方法。
【請求項１０】
ソフトコンビネーションバッファを有するＮｏｄｅ Ｂと、再整列バッファを有する無線網制御器（ＲＮＣ）とを含む移動通信システムの上りリンクチャンネルでのハイブリッド自動再送要求（ＨＡＲＱ）を再整列するための方法であって、
Ｎｏｄｅ Ｂで移動端末機からパケットデータを受信し、前記受信されたデータをソフトコンビネーションバッファに貯蔵するステップと、
Ｎｏｄｅ Ｂから受信されたデータをチャンネルデコーダによりデコーディングするステップと、
移動端末機へ受信応答（ＡＣＫ）又は未受信応答（ＮＡＣＫ）情報を送信するステップと、
Ｎｏｄｅ ＢでデコーディングされたデータをＲＮＣへ送信するステップと、
前記デコーディングされたデータを再整列バッファにバッファリングするステップと、
ＲＮＣでデコーディングされたデータを再整列するステップと
を含むことを特徴とするハイブリッド自動再送要求再整列方法。
【請求項１１】
ハイブリッド自動再送要求（ＨＡＲＱ）機能を有する移動通信システムであって、
移動端末機からパケットデータを受信し、前記パケットデータをデコーディングして、そのデコーディング結果に従って、受信応答信号又は未受信応答信号を移動端末機へ送信する、少なくとも１つ以上のＮｏｄｅ Ｂが移動端末機と通信している複数のＮｏｄｅ Ｂと、 
前記パケットデータを送信し、前記未受信応答信号を受信する場合に、前記パケットデータの送信を反復する移動端末機と、
前記Ｎｏｄｅ Ｂを制御し、前記Ｎｏｄｅ Ｂからデコーディングされたデータを受信して、前記パケットデータのパケットシーケンスに従ってパケットデータを再整列するＲＮＣと、を含み、
前記Ｎｏｄｅ Ｂは、パケットデータをバッファリングするソフトコンビネーションバッファを備え、パケットデータをさらに受信する場合に、第１のパケットデータ及び第２のパケットデータを組み合わせることを特徴とするハイブリッド自動再送要求（ＨＡＲＱ）機能を有することを特徴とする移動通信システム。
【発明の詳細な説明】
【技術分野】
【０００１】
本発明は、広帯域符号分割多重接続（Wideband Code Division Multiple Access； 以下、‘ＷＣＤＭＡ’と称する）移動通信システムにおいて、向上した上りリンク専用チャンネルでのハイブリッド自動再送要求（Hybrid Automatic Repeat Request；以下、‘ＨＡＲＱ’と称する）再整列（reordering）のための方法に関する。
【背景技術】
【０００２】
向上した上りリンク専用チャンネル（Enhanced Uplink Dedicated Channel；以下、‘ＥＵＤＣＨ’と称する）は、第３世代の移動体通信システム標準規格（3rd Generation Partner Project；３ＧＰＰ）のバージョン６によって提案された標準化が進行中にある研究プロジェクトである。ＥＵＤＣＨの目的は、無線網の上りリンク送信資源の効率的な管理及び計画を介してシステムの上りリンク容量を改善し、データサービスの送信を高速に適用することができるようにすることにある。このようなＥＵＤＣＨは、セルのカバレッジのパーセンテージ及び作業処理量を改善し、上りリンク送信速度を改善するだけではなく、上りリンク専用送信チャンネルの性能の改善を介して上りリンクの遅延を減少させる。採用されている主な技術は、次の通りである。
◆ 適応変調及び符号化方式
◆ ハイブリッド自動再送要求（ＨＡＲＱ）プロトコル
◆ Ｎｏｄｅ Ｂ（基地局）制御及びスケジューリング 
◆ 迅速な専用チャンネルの設定
◆ 短いフレーム構造及びサービス品質（ＱｏＳ）の改善
◆ 関連物理階層及び上位階層シグナリングの支援
【０００３】
ハイブリッド自動再送要求（ＨＡＲＱ）は、核心技術のうちの１つである。本発明は、再整列のための動作方法に重点を置いてＥＵＤＣＨにおけるＨＡＲＱ技術の適用方法を提案する。
既存のＷＣＤＭＡ移動通信システムにおいては、ＥＵＤＣＨでのＨＡＲＱの具体的な動作方法に関する標準がまだ存在していない。原則的に、ＥＵＤＣＨでのＨＡＲＱ動作は、高速データパケット接続（High Speed Data Packet Access；ＨＳＤＰＡ）でのＨＡＲＱ動作の逆過程と見なすことができる。以下、ＨＳＤＰＡでのＨＡＲＱ再整列の関連定義について説明する。
【０００４】
図１は、ＨＳＤＰＡでのＵＥ（使用者端末機）側高速−媒体アクセス制御（Medium Access Control-high speed；以下、‘ＭＡＣ−ｈｓ’と称する）エンティティ（entity）の構造を示す。
ＭＡＣ−ｈｓは、ＨＳＤＰＡの特定の機能を扱う。下記のモデルでは、ＭＡＣ−ｈｓが次のエンティティを含む。
１０１ ＨＡＲＱ: ＨＡＲＱエンティティは、ＨＡＲＱプロトコルに関連したＭＡＣ機能を扱う。ＨＡＲＱ機能エンティティは、ハイブリッドＡＲＱに必要なすべてのタスク（task）を扱う。ＨＡＲＱ機能エンティティは、受信応答（Acknowledgment；以下、‘ＡＣＫ’と称する）又は未受信応答（Not Acknowledgment；以下、‘ＮＡＣＫ’と称する）を生成する。ＨＡＲＱプロトコルの具体的な構成は、ＭＡＣ−制御サービスアクセスポイント（MAC−Control Service Access Point；MAC−Control SAP）を介して無線資源制御（Radio Resource Control；ＲＲＣ）によって提供される。
１０２ 再整列キュー分散：再整列キュー分散機能は、キューＩＤに基づいて、ＭＡＣ−ｈｓプロトコルデータ単位（MAC-hs Protocol Data Unit；以下、‘ＭＡＣ−ｈｓ ＰＤＵ’と称する）のルートを正確な再整列バッファに設定する。
１０３ 再整列：再整列エンティティは、受信されたＭＡＣ−ｈｓ ＰＤＵを受信された送信シーケンス番号（Transmission Sequence Number；以下、‘ＴＳＮ’と称する）に従って再整列する。連続したＴＳＮを有するＭＡＣ−ｈｓ ＰＤＵは、受信の時に分解機能に伝達される。低いＴＳＮを有するＭＡＣ−ｈｓ ＰＤＵが漏れていると、ＭＡＣ−ｈｓ ＰＤＵが分解機能に伝達されない。ＵＥで構成されたそれぞれのキューＩＤに対する１つの再整列エンティティが存在する。
１０４ 分解：分解エンティティは、ＭＡＣ−ｈｓ ＰＤＵを分解する。ＭＡＣ−ｈｓ ＰＤＵが分解されると、ＭＡＣ−ｈｓヘッダーが除去され、ＭＡＣ−ｄ ＰＤＵが抽出され、存在するすべてのパッディングビット（padding bit）が除去される。すると、ＭＡＣ−ｄ ＰＤＵが上位階層へ伝達される。
図１に示した関連シグナリングは、レイヤ１とレイヤ２との間の情報交換を示す。
【０００５】
受信器には、２個のバッファ、すなわち、物理階層にあるソフトコンビネーションバッファ（soft combining buffer）及びＭＡＣ階層にある再整列バッファが存在する。上記ソフトコンビネーションバッファは、再送信を組み合わせてデータをデコーディングするのに使用される。これらバッファは、すべて受信器、すなわち、ＵＥ（使用者端末機）に配置される。
【０００６】
既存のＨＡＲＱ再整列技術をＥＵＤＣＨに適用すると、結果的に、次のような２つの問題点が発生する可能性がある。
１） ソフトコンビネーションバッファ及び再整列バッファをすべてＮｏｄｅ Ｂに配置することは望ましくない。ソフトハンドオフの場合を考慮して、活性集合（active set）内のそれぞれのＮｏｄｅ Ｂは、上りリンクデータを受信しており、正確に受信されるか否かに関係なく、それぞれのＮｏｄｅ Ｂにより受信されたデータは、相互に異なることもできる。従って、それぞれのＮｏｄｅ Ｂで再整列バッファを設定することは不要であるが、このような設定は、待機時間が長くなり過ぎ、一方では、遅延を誘発し、もう一方では、バッファ空間の浪費をもたらす。１つのＮｏｄｅ Ｂでも正確にデータを受信すると、データは、すぐサービング無線網制御器（Serving Radio Network Controller；以下、‘ＳＲＮＣ’と称する）に送信され、そのＳＲＮＣで均一に再整列されることができ、これによって、一番効果的なダイバーシティ利得を得ることができる。
２） 場合によっては、再整列バッファは、永久的なデータ損失を誘発することがあり、結果的に、キューホール（queue hole）が生じることがある。従って、次のような幾つかの状況が発生する可能性がある。
【０００７】
− ＮＡＣＫがＡＣＫと誤認される。この場合に、ＵＥは、そのパケットを再送信せず、新たなパケットを送信し始める。
− 特定のデータの再送信の再試行が多すぎるか、再送信時間が特定の限界に到達すると、ＵＥは、再送信をあきらめ、新たなデータを送信し始める。
− 特定のデータの送信が、優先順位が高い他のキューによって先に占有されていると、ＵＥは、再送信をあきらめ、新たなデータを送信し始める。
【０００８】
上述した幾つかの事案を処理するための望ましい措置を採択しなければ、キュー停止（queue stop）を引き起こし、それに従って、正確に受信されたデータが上方（upward）へ送信されることができず、バッファがオーバーフローするようになる。
【発明の開示】
【発明が解決しようとする課題】
【０００９】
上記背景に鑑みて、本発明の目的は、分離されたモデルによって、すなわち、ソフトコンビネーションバッファを再整列バッファから分離する解決策を提供する。上記ソフトコンビネーションバッファは、Ｎｏｄｅ Ｂに配置され、上記再整列バッファは、ＳＲＮＣに配置される。従って、複数のＮｏｄｅ Ｂのダイバーシティ利得が保証されるだけではなく、キューの待機時間が減少されてバッファ空間が節減される。
【課題を解決するための手段】
【００１０】
このような目的を達成するために、ソフトコンビネーションバッファをそれぞれ有する複数のＮｏｄｅ Ｂと、再整列バッファを有し、それぞれのＮｏｄｅ Ｂを制御する無線網制御器（Radio Network Controller；以下、‘ＲＮＣ’と称する）とを含む移動通信システムの上りリンクチャンネルでのＨＡＲＱ再整列方法は、Ｎｏｄｅ Ｂでそれぞれの移動端末機からパケットデータを受信し、上記受信されたデータをソフトコンビネーションバッファに貯蔵するステップと、それぞれのＮｏｄｅ Ｂから受信されたデータをチャンネルデコーダによりデコーディングするステップと、移動端末機へ受信応答（ＡＣＫ）又は未受信応答（ＮＡＣＫ）情報を送信するステップと、Ｎｏｄｅ ＢでデコーディングされたデータをＲＮＣへ送信するステップと、それぞれのデコーディングされたデータを再整列バッファにバッファリングするステップと、ＲＮＣでデコーディングされたデータを再整列するステップとを含むことを特徴とする。
【００１１】
また、このような目的を達成するために、ソフトコンビネーションバッファを有するＮｏｄｅ Ｂと、再整列バッファを有するＲＮＣとを含む移動通信システムの上りリンクチャンネルでのＨＡＲＱを再整列するための方法は、Ｎｏｄｅ Ｂで移動端末機からパケットデータを受信し、上記受信されたデータをソフトコンビネーションバッファに貯蔵するステップと、Ｎｏｄｅ Ｂから受信されたデータをチャンネルデコーダによりデコーディングするステップと、移動端末機へＡＣＫ又はＮＡＣＫ情報を送信するステップと、Ｎｏｄｅ ＢでデコーディングされたデータをＲＮＣへ送信するステップと、前記デコーディングされたデータを再整列バッファにバッファリングするステップと、ＲＮＣでデコーディングされたデータを再整列するステップとを含むことを特徴とする。
【００１２】
さらに、このような目的を達成するために、ハイブリッド自動再送要求（ＨＡＲＱ）機能を有する移動通信システムは、移動端末機からパケットデータを受信し、上記パケットデータをデコーディングして、そのデコーディング結果に従って、受信応答信号又は未受信応答信号を移動端末機へ送信する、少なくとも１つ以上のＮｏｄｅ Ｂが移動端末機と通信している複数のＮｏｄｅ Ｂと、 上記パケットデータを送信し、上記未受信応答信号を受信する場合に、上記パケットデータの送信を反復する移動端末機と、上記Ｎｏｄｅ Ｂを制御し、上記Ｎｏｄｅ Ｂからデコーディングされたデータを受信して、上記パケットデータのパケットシーケンスに従ってパケットデータを再整列するＲＮＣと、を含み、上記Ｎｏｄｅ Ｂは、パケットデータをバッファリングするソフトコンビネーションバッファを備え、パケットデータをさらに受信する場合に、第１のパケットデータ及び第２のパケットデータを組み合わせることを特徴とする。
【００１３】
上記ソフトコンビネーションバッファは、２つの組合せ方式を有するが、１つの方式は、第１の送信及び第２の送信から受信された同一のパケットデータを組み合わせるチェースコンバイニング（chase combining）方式であり、他の１つの方式は、同一のパケットデータの異なるバージョンを組み合わせる増分冗長（Incremental Redundancy；ＩＲ）方式である。
【００１４】
既存の技術での二番目の問題点を目標にして、本発明は、作動メカニズムの３つの解決策を提案する。
ａ） タイマーメカニズム 
ｂ） ウィンドーメカニズム 
ｃ） ソフトコンビネーションバッファ状態指示（Soft combination buffer state indicating；ＳＢＩ）メカニズム。
これら３つのメカニズムは、相互に独自的であり、別個に使用されることができる。しかしながら、最適の性能のために、３種類のメカニズムは、組合せ方式として同時に使用されて、ブロッキング状態（blocking state）を最大に除去し、最適の効果を達成することができる。
ＳＢＩメカニズムの導入は、新たなＩｕｂ及びＩｕｒシグナリングの支援を必要とする。本発明は、改善したＤＣＨデータフレームの構造を提案する。
【００１５】
本発明は、ソフトコンビネーションバッファ及び再整列バッファを分離させる技術を採用することによって、適切な媒体アクセス制御−向上した上りリンク（ＭＡＣ−ＥＵ）エンティティ構造を提案する。このような分離モデルは、ダイバーシティ利得を保証するだけではなく、受信遅延を減少させてバッファ空間を節減する。上述した３種類のメカニズム（タイマーメカニズム、ウィンドーメカニズム、及びＳＢＩメカニズム）は、再整列バッファのブロッキングを防止して、ブロッキングを最小のレベルに下げて、受信効率を改善し、システムの性能を改善する。本発明は、Ｉｕｂインタフェース及びＩｕｒインタフェースでのデータフレームの構造を変更して、新たなＳＢＩメカニズムを支援することを必要とする。
【発明の効果】
【００１６】
本発明は、ソフトコンビネーションバッファと再整列バッファとを分離させる技術を採用し、その分離モデルは、ダイバーシティ利得を保証するだけではなく、受信遅延を減少させてバッファ空間を節減させることができる。３種類のメカニズム（タイマーメカニズム、ウィンドーメカニズム、及びＳＢＩメカニズム）は、再整列バッファのブロッキングを防止してブロッキングを最小のレベルに下げ、受信効率を改善し、システムの性能を改善することができる。また、本発明は、ＳＢＩメカニズムを目標にして、Ｉｕｂインタフェース及びＩｕｒインタフェースでの新たなＤＣＨデータフレームの構造を提供することができる。
【発明を実施するための最良の形態】
【００１７】
以下、本発明の好適な一実施形態を添付図面を参照しつつ詳細に説明する。下記の説明において、本発明の要旨のみを明瞭にする目的で、関連した公知の機能又は構成に関する具体的な説明は省略する。
【００１８】
本発明は、次の３つの観点の内容からなっている。
１．ＭＡＣ−ＥＵ分散方式 
２．再整列バッファブロッキング回避方式（３種類のメカニズム、すなわち、タイマーメカニズム、ウィンドーメカニズム、及びＳＢＩメカニズムを含む） 
３．ＳＢＩメカニズム下の新たなシグナリング方式
下記において、各部分の内容を詳細に説明する。
【００１９】
ＭＡＣ−ＥＵ分散方式 
ソフトハンドオフ状態では、活性集合に属している幾つかのＮｏｄｅ Ｂが上りリンクデータを受信しているので、ソフトコンビネーションバッファは、Ｎｏｄｅ Ｂに配置されてダイバーシティ利得を保証しなければならない。再整列バッファは、ＳＲＮＣに配置されなければならない。それぞれのＮｏｄｅ Ｂは、パケットを正確に受信した後に、そのパケットを即座にＳＲＮＣへ送信する。重複したデータがあれば、ＳＲＮＣは、シーケンス番号（ＳＮ）に従って、その重複したデータを識別して自動に廃棄する。上記正確に受信されたすべてのパケットは、ＳＲＮＣで均一にキューに整列される。
従って、図２を参照すると、ＥＵＤＣＨのＭＡＣ−ＥＵエンティティでは、ＨＡＲＱエンティティがＮｏｄｅ Ｂに配置される一方、再整列キュー分散エンティティ、再整列エンティティ、及び分解エンティティは、ＳＲＮＣに配置される。ＭＡＣ−ＥＵの具体的な構成（図２を参照）については、実施形態で説明する。
【００２０】
再整列バッファブロッキング回避方式 
特定のＰＤＵの損失による再整列バッファのブロッキングを回避するためには、新たな動作メカニズムを定義する必要がある。ここでは、それぞれ導入される３種類のメカニズムが提案される。上記３種類のメカニズムは、独自的であり、別個に使用されることができる。しかしながら、最適の性能のためには、これら３種類のメカニズムは、組合せ方式として同時に使用され、ブロッキングの状態を最大に除去し、最適の効果を得なければならない。
【００２１】
１） タイマーメカニズム 
再送信時間を制御し、無限定再送信（unlimited retransmission）を防止するのに使用される送信タイマー（タイマーＴ）をＵＥに設定する。従って、ＵＥは、タイマーが終了する前にのみ、再送信を遂行することができる。新たなパケットが送信される度に、タイマーＴが動作する。ＵＥがＡＣＫを受信する場合には、カウンティングが停止される。ＵＥがＮＡＣＫを受信すると、ＵＥは、タイマーが終了するまでそのパケットを再送信する。タイマーが終了する時に、ＵＥは、再送信をあきらめ、新たなパケットを送信し始める。タイマーＴの持続時間は、上位階層により設定される。
ＳＲＮＣの受信器では、それぞれのキューが再整列バッファを設定し、上記それぞれのキューは、空いている位置の待機を制御する解除タイマー（タイマーＲ）である。ＭＡＣ−ＥＵ ＰＤＵが受信される度に、低いシーケンス番号の位置が空いていると、そのＭＡＣ−ＥＵ ＰＤＵは、上位階層へ伝達されることができず、タイマーＲが動作し始める。タイマーＲが終了した後にもその位置がやはり空いていると、これ以上待機することなく、その位置が解除される。正確に受信された後続データが上位階層へ送信される。タイマーＲの持続時間は、上位階層により設定される。
タイマーメカニズム下でのＳＲＮＣ再整列バッファに対する動作規則は、後の実施形態（図５を参照）で詳細に説明する。
【００２２】
２） ウィンドーメカニズム 
ＵＥにウィンドーが定められていると、ＭＡＣ−ＥＵ ＰＤＵは、受信器で送信シーケンス番号（ＴＳＮ）の混同を発生させない。送信ウィンドーの大きさは、ＴＲＡＮＳＭＩＴ＿ＷＩＮＤＯＷとして設定され、その最大値は、ＴＳＮ長さの範囲の半分である。上位階層は、ＴＲＡＮＳＭＩＴ＿ＷＩＮＤＯＷの構成を決定する。
ＵＥがＴＳＮ＝ＳＮであるＭＡＣ−ＥＵ ＰＤＵを送信した後には、ＴＳＮ≦ＳＮ−ＴＲＡＮＳＭＩＴ＿ＷＩＮＤＯＷを満足するすべてのＭＡＣ−ＥＵ ＰＤＵが送信されることができず、これによって、受信器でシーケンス番号の混同を防止することができる。送信器によってあきらめられたＭＡＣ−ＥＵ ＰＤＵは、永久に再送信されない。
ＳＲＮＣに受信ウィンドーが定められていると、そのウィンドー内の受信ＭＡＣ−ＥＵ ＰＤＵがウィンドーを順方向にスライディングさせない。受信ウィンドーの大きさは、ＲＥＣＥＩＶＥ＿ＷＩＮＤＯＷとして設定され、その最大値は、ＴＳＮ長さの範囲の半分である。ＲＥＣＥＩＶＥ＿ＷＩＮＤＯＷの構成は、上位階層によって決定される。
ウィンドーメカニズム下のＳＲＮＣ再整列バッファに対する動作規則は、後の実施形態（図６を参照）で詳細に説明する。
【００２３】
３） ソフトコンビネーションバッファ状態指示（ＳＢＩ）メカニズム 
タイマーメカニズム及びウィンドーメカニズムを採用しても、ブロッキングが発生する一部の場合は、やはり解決されることができない。図３の例を参照して、ＴＳＮが６−ビットの長さであり、これに従って、その長さの範囲が６４であり、ＲＥＣＥＩＶＥ＿ＷＩＮＤＯＷが３２であると仮定すると、ソフトコンビネーションバッファは、４つのプロセスを有する。
ＴＳＮが２であるパケットが数回にわたって再送信に失敗した後に、ＵＥは、再送信をあきらめ、新たなパケットを同一のプロセスで送信する。このとき、再整列バッファの状態が図３に示される。ＴＳＮが２である位置は空いている。タイマーＲがカウンティング状態に留まっているので、ＴＳＮが３であるパケットと９であるパケットとがブロッキングされて、上位階層へ送信されることができない。受信ウィンドーは、順方向にプッシュ（push）されない。このような状況では、ＳＲＮＣが適時に再整列バッファを解除することができず、タイマーの終了又はウィンドーのスライディングの待機のみを介して、ＴＳＮが２である位置を空けることができる。このとき、ＳＲＮＣがＮｏｄｅ Ｂでのソフトコンビネーションバッファの状態を認知すると、ＳＲＮＣは、迅速に再整列バッファを解除し、デッドロック状態（deadlock state）を防止することができる。すなわち、Ｎｏｄｅ Ｂがソフトコンビネーションバッファ状態指示ビットをＳＲＮＣへ送信する必要があり、これにより、ＳＲＮＣがその情報を認知した後には、ブロッキングをさらによく防止することができる。
【００２４】
Ｎｏｄｅ Ｂがパケットを正確に受信する度に、Ｎｏｄｅ Ｂは、パケットをＳＲＮＣへ即座に送信する。これと同時に、添付されたＳＢＩビットがデータに含まれたまま送信される。ＳＢＩビットは、２種類の状態を有する。
ＳＢＩ＝１：ソフトコンビネーションバッファ内のすべてのプロセスが空いている、すなわち、データを再送信する必要がないことを指示する。
ＳＢＩ＝０：他のすべての状態。
ＳＢＩメカニズム下でのＳＲＮＣ再整列バッファに対する動作規則は、後の実施形態（図７を参照）で詳細に説明する。
【００２５】
ＳＢＩメカニズム下の新たなシグナリング方式
ＳＢＩビットの導入は、Ｉｕｂ及びＩｕｒデータフロープロトコルへの変更を加える。下記の実施形態（図８を参照）では、Ｉｕｂインタフェースでの上りリンク（Ｎｏｄｅ ＢからＳＲＮＣへの）ＤＣＨデータフレームの構造が変更される。ＩｕｂインタフェースでのＤＣＨデータフローは、Ｉｕｒインタフェースでのそれと同一であるので、図８のデータフレームの構造は、Ｉｕｒインタフェースにも適用することができる。
【００２６】
図２は、ＭＡＣ−ＥＵエンティティの分散構造を示す。その図面から、ＨＡＲＱエンティティがＮｏｄｅ Ｂに配置される一方、再整列キュー分散エンティティ、再整列エンティティ、及び分解エンティティがすべてＳＲＮＣに配置される。上記分散ＭＡＣ−ＥＵエンティティは、本発明でのＳＢＩシグナリングのキーになる前提条件である。ソフトハンドオーバー（Soft Handover；ＳＨＯ）において、分散ＭＡＣ−ＥＵ方式とは、Ｎｏｄｅ Ｂ側に配置されたＭＡＣ−ＥＵ ＨＡＲＱエンティティ及びＳＲＮＣ側に配置されたＭＡＣ−ＥＵ再整列エンティティにより、システムがダイバーシティ利得及びストールアボイダンス（stall avoidance）から利益を受けることを意味する。多重の受信Ｎｏｄｅ Ｂ及びそれぞれのＮｏｄｅ Ｂでの別個のソフトコンビネーションに基づいて、ダイバーシティ利得が得られる。また、ＭＡＣ−ＥＵ再整列エンティティがＳＲＮＣ側に配置され、ＳＲＮＣが活性集合に属しているＮｏｄｅ Ｂから多重データストリームを受信するので、ＳＲＮＣは、ＭＡＣ−ＥＵ ＰＤＵをさらに迅速に分解する能力を有する。
【００２７】
下記のモデルでは、分散ＭＡＣ−ＥＵが次のようなエンティティを含んでなされる。
２０１ ＨＡＲＱ：ＨＡＲＱエンティティは、ＨＡＲＱプロトコルに関連したＭＡＣ機能を担当する。ＨＡＲＱ機能エンティティは、ハイブリッドＡＲＱに必要なすべてのタスクを担当する。ＨＡＲＱ機能エンティティは、ＡＣＫ又はＮＡＣＫを生成する。ハイブリッドＡＲＱプロトコルの具体的な構成は、ＭＡＣ−制御ＳＡＰを介したＲＲＣによって提供される。このようなエンティティは、Ｎｏｄｅ Ｂ側に配置される。
２０２ 再整列キュー分散：再整列キュー分散機能は、キューＩＤに基づいてＭＡＣ−ＥＵ ＰＤＵのルートを正確な再整列バッファに設定する。このようなエンティティは、ＳＲＮＣ側に配置される。
２０３ 再整列：再整列エンティティは、受信されたＭＡＣ−ＥＵ ＰＤＵを受信したＴＳＮに従って再整列する。連続的なＴＳＮを有するＭＡＣ−ＥＵ ＰＤＵは、受信の時に分解機能に伝達される。低いＴＳＮを有するＭＡＣ−ＥＵ ＰＤＵが漏れていると、ＭＡＣ−ＥＵ ＰＤＵが分解機能に伝達されない。ＵＥで構成されたそれぞれのキューＩＤに対する１つの再整列エンティティが存在する。
２０４ 分解：分解エンティティは、ＭＡＣ−ＥＵ ＰＤＵを分解する。ＭＡＣ−ＥＵ ＰＤＵが分解されると、ＭＡＣ−ＥＵヘッダーが除去され、ＭＡＣ−ｄ ＰＤＵが抽出され、存在するすべてのパッディングビット（padding bit）が除去される。すると、ＭＡＣ−ｄ ＰＤＵが上位階層へ伝達される。
図２に示した関連シグナリングは、レイヤ１とレイヤ２との間の情報交換を示す。
【００２８】
図５は、タイマーメカニズムに基づくＳＲＮＣ再整列に対する動作フローチャートである。
５０１ 開始 
５０２ ＴＳＮがＳＮと同一のＭＡＣ−ＥＵ ＰＤＵを受信するが、低いＴＳＮを有する位置が空いているので、受信されたＭＡＣ−ＥＵ ＰＤＵを上方へ送信することができない。
５０３ タイマーＲが動作しているか否かを感知し、一度に１つのタイマーＲのみが動作状態にあることができる。
５０４ このとき、タイマーＲが動作状態に留まっていないと、タイマーＲ及びカウンティングを開始する。
５０５ タイマーＲが終了すると、高いＴＳＮを有する位置がやはり空いているか否かを感知する。
５０６ タイマーＲが終了する前に、空いているＴＳＮに受信されると、タイマーＲを停止させ、高いＴＳＮを有する空いている位置がやはり存在するか否かを感知する。
５０７ やはり空いている位置があれば、次の空いている位置に先行するすべてのＭＡＣ−ＥＵ ＰＤＵをすべての分解エンティティへ送信する。すると、最も高いＴＳＮを有する空いている位置でタイマーＲの動作を再開してカウンティングを開始する。
５０８ 空いている他の位置がなければ、正確に受信されたすべてのＭＡＣ−ＥＵ ＰＤＵを分解エンティティへ送信する。
５０９ 終了 
【００２９】
図６は、ウィンドーメカニズムに基づくＳＲＮＣ再整列に対する動作フローチャートである。
６０１ 開始 
６０２ ＴＳＮがＳＮと同一のＭＡＣ−ＥＵ ＰＤＵを受信する。
６０３ ＳＮが受信ウィンドー内にあるとしても、ＴＳＮを受信したので、現在のＭＡＣ−ＥＵ ＰＤＵを廃棄する。
６０４ ＳＮが受信ウィンドー内にあり、そのＴＳＮを前に受信しなかったら、ＭＡＣ−ＥＵ ＰＤＵを該当ＴＳＮ位置に置く。
６０５ ＳＮがウィンドーを外れていると、ＳＮは、新たなウィンドーの一番高い境界になり、ウィンドーを順方向にスライディングさせる。ウィンドーを外れているＭＡＣ−ＥＵ ＰＤＵをすべての分解エンティティへ送信する。
６０６ ウィンドーの空いている最初の位置に先立つすべてのＭＡＣ−ＥＵ ＰＤＵを分解エンティティへ送信する。
６０７ 終了 
【００３０】
図７は、ＳＢＩメカニズムに基づくＳＲＮＣ再整列に対する動作フローチャートである。
７０１ 開始
７０２ ＴＳＮがＳＮと同一のＭＡＣ−ＥＵ ＰＤＵを受信する。
７０３ 添付されたＳＢＩを感知して、ＳＢＩ＝１であれば、キューに対応する再整列バッファを消去し、すべてのＭＡＣ−ＥＵ ＰＤＵを分解エンティティへ送信する。
７０４ ＳＢＩ＝０であれば、何もしない。
７０５ 終了 
【００３１】
図４は、図３の例に従って与えられたＳＢＩ状態のシフトに対する例を示す。
４０１ ＴＳＮが１であるＭＡＣ−ＥＵ ＰＤＵを正確に受信し、添付されたＳＢＩビットを１とする。このとき、すべてのプロセスが再送信用データを有していないので、すべてのプロセスバッファは、空いている。
４０２ ＴＳＮが３であるＭＡＣ−ＥＵ ＰＤＵを正確に受信し、添付されたＳＢＩビットを０とする。このとき、プロセス２が再送信用データを有するので、プロセス２は、空いていない。
４０３ ＴＳＮが４であるＭＡＣ−ＥＵ ＰＤＵを正確に受信し、添付されたＳＢＩビットを０とする。その理由は、上述した通りである。
４０４ ＴＳＮが５であるＭＡＣ−ＥＵ ＰＤＵを正確に受信し、添付されたＳＢＩビットを０とする。その理由は、上述した通りである。
４０５ ＴＳＮが６であるＭＡＣ−ＥＵ ＰＤＵを正確に受信し、添付されたＳＢＩビットを０とする。その理由は、上述した通りである。
４０６ ＴＳＮが７であるＭＡＣ−ＥＵ ＰＤＵを正確に受信し、添付されたＳＢＩビットを０とする。その理由は、上述した通りである。
４０７ ＴＳＮが８であるＭＡＣ−ＥＵ ＰＤＵを正確に受信し、添付されたＳＢＩビットを０とする。その理由は、上述した通りである。
４０８ ＴＳＮが９であるＭＡＣ−ＥＵ ＰＤＵを正確に受信し、添付されたＳＢＩビットを１とする。このとき、すべてのプロセスが再送信用データを有していないので、すべてのプロセスバッファは、空いている。
【００３２】
図８は、ＳＢＩが付加されたＤＣＨデータフレームの構造を示す。
８０１ ＤＣＨデータフレームの構造の各送信ブロック（Transfer Block；ＴＢ）に対してＳＢＩを付加して、ソフトコンビネーションバッファの状態を指示する。
【図面の簡単な説明】
【００３３】
【図１】ＵＥ側ＭＡＣ−ｈｓエンティティの構成を示す図である。
【図２】ＥＵＤＣＨでのＭＡＣ−ＥＵの構成を示す図である。
【図３】タイマーに基づくメカニズム及びウィンドーに基づくメカニズムによって解決されることができないブロッキングの状態を示す図である。
【図４】図３の実施形態に従ってＳＢＩ（ソフトコンビネーションバッファ状態指示）の状態シフトに対する例を示す図である。
【図５】タイマーメカニズムに基づくＳＲＮＣ再整列に対する動作フローチャートである。
【図６】ウィンドーメカニズムに基づくＳＲＮＣ再整列に対する動作フローチャートである。
【図７】ＳＢＩメカニズムに基づくＳＲＮＣ再整列に対する動作フローチャートである。
【図８】ＳＢＩが付加されたＤＣＨ（専用チャンネル）データフレームの構成に対する例を示す図である。
【図１】
2006514514.tif 000003
【図２】
2006514514.tif 000004
【図３】
2006514514.tif 000005
【図４】
2006514514.tif 000006
【図５】
2006514514.tif 000007
【図６】
2006514514.tif 000008
【図７】
2006514514.tif 000009
【図８】
2006514514.tif 000010
【国際調査報告】
2006514514.tif 000011